(57)【要約】【課題】使用者の頸部や身体各部に負担を与えることなく自然な状態に保持するとともに肩口回りの保温性の向上を図り、未使用状態で小型に折り畳むことによりスペースの効率化と取り扱いの簡便化を図る。【解決手段】背当てシート体４に重ね合わせ状態と展開状態とに折り畳み自在に組み合わせた台座ブロック体３の傾斜主面３Ａ上に枕体２を重ね合わせ状態で組み合わせ、展開状態において、枕体２から背当てシート体４に向かって次第に緩やかに傾斜する受け面を構成して使用者７の各部を保持する。【選択図】  図１
0003128886.tif 000002
【実用新案登録請求の範囲】
【請求項１】
布袋に所定の充填材を充填して全体略矩形マット状に形成された枕体と、
上記枕体よりも硬い低反発素材によって上記枕体よりも小さな外形寸法を有する全体略楔状のブロック体に形成された台座ブロック体と、
上記枕体よりも硬くかつ上記台座ブロック体よりも柔かな低反発素材によって上記台座ブロック体よりも平面の外形寸法が大形でかつ薄厚とされた全体略楔状のシート体に形成され、使用者の肩口から背中部分を支持する背当てシート体とから構成され、
上記枕体が上記台座ブロック体の傾斜主面上に重ね合わせ状態で組み合わされるとともに、上記台座ブロック体と上記背当てシート体が上記台座ブロック体の先端部側の側面部と上記背当てシート体の甲高部側の側面部を対向させかつこの対向部位に沿って重ね合わせ状態と展開状態とに折り畳み自在に組み合わされ、
上記台座ブロック体と上記背当てシート体を展開した状態において、上記枕体から上記背当てシート体に向かって次第に緩やかに傾斜する受け面を構成することを特徴とする枕装置。
【請求項２】
少なくとも上記台座ブロック体と上記背当てシート体が、袋体内に挿脱自在でかつ折り畳み自在に装填されて一体化されることを特徴とする請求項１に記載の枕装置。
【請求項３】
少なくとも上記枕体と上記台座ブロック体が、袋体に重ね合わせ状態で装填されて一体化されることを特徴とする請求項１又は請求項２に記載の枕装置。
【請求項４】
上記枕体が、上記台座ブロック体の上記傾斜主面に対して、着脱自在な取り付け手段を介して組み合わされることを特徴とする請求項１又は請求項２に記載の枕装置。
【請求項５】
上記枕体が、上記台座ブロック体の上記傾斜主面との間に介挿される高さ調整プレート体を介して重ね合わせ状態で組み合わされることにより高さが調整されることを特徴とする請求項４に記載の枕装置。
【請求項６】
上記高さ調整プレート体が、上記台座ブロック体の傾斜主面よりも外形寸法が小さな１枚のプレート体であり、上記台座ブロック体の傾斜主面上に沿って調整移動されることにより上記枕体の高さが調整されることを特徴とする請求項５に記載の枕装置。
【考案の詳細な説明】
【技術分野】
【０００１】
本考案は、使用者に快適な安眠を提供する枕装置に関する。
【背景技術】
【０００２】
枕は、快適な安眠や健康生活の極めて重要なアイテムであり、本来寝た状態でも立った状態と同等の自然な姿勢とすることにより頸椎を保持する基本的な機能を有しており、例えば高さ、素材、硬さや感触或いは大きさ等の様々な条件により選択される。枕は、個々の使用者が体に合わないものを使用することにより首、背中、或いは肩、腰等の身体各部に大きな負担をかけてこりや痛みを引き起こす大きな原因となる。一方、枕は、かかる機能的な「体に適合する」条件ばかりでなく、個々の使用者が慣れ等による感覚的な寝やすさも大きな要件となっている。
【０００３】
枕には、従来様々な形態や素材を有するものが提供されている。例えば、特許文献１には、タイマ或いは手動により電動で高さが可変可能な枕と敷布団を組み合わせた寝具が開示されている。特許文献２には、側面に湾曲した傾斜状凹部を形成し、この傾斜状凹部に身体の一部が当たることで隙間を吸収閉塞して補整される体位安定補整枕が開示されている。なお、寝具については、例えば敷布団或いはマット等の長尺ものについて、複数の折り畳み部位を設けて未使用時に折り畳むことにより小型化が図られるようにしたものも提供されている（例えば特許文献３を参照）。
【０００４】
【特許文献１】特開２０００−２７０９８８号公報
【特許文献２】特開２００１−１１２５９９号公報
【特許文献３】実開平６−５５４５６号公報
【考案の開示】
【考案が解決しようとする課題】
【０００５】
ところで、従来の枕は、もっぱら頭部のみを支えるものでありかつある程度の高さと変形自在な構造であることから、使用者が頭部を深く載せて使用した場合に頸部を略へ字状に曲げた状態とするとともに浅く載せて使用した場合に頸部を略逆へ字状に曲げた状態とする。従来の枕は、このために使用者の頸部に負担を与えて快適な安眠を妨げるとともに身体各部に上述した痛みの発生等を生じさせる。
【０００６】
上述した特許文献１或いは特許文献２に開示される枕は、頸部を支える部位を有して頭部から背中に向かって一定の傾斜角が付されるように構成することにより、頸部における大きな曲がりが抑制されるようにする。また、かかる枕は、肩口から掛け布団の中への風の入り込みを抑制し、冬期等において保温性の向上が図られるようにする。
【０００７】
しかしながら、かかる各先願に開示された枕においては、頭部を支える部位と背中を支える部位とが一体に構成された構造であることから、比較的柔らかで頭部を包み込むようにして支える枕部位とある程度の反発力を以って背中を支える敷き布団部位の両方の特性を備えることが困難であった。したがって、かかる各先願に開示された枕においては、いずれか一方の特性を犠牲にせざるを得ず、使用者が快適に安眠できないことから普及されるていない。また、かかる枕は、全体として大形であり、取り扱いが面倒であるとともに未使用時に押し入れ等にしまう場合に大きなスペースを占有するといった問題もある。
【０００８】
したがって、本考案は、使用状態において使用者の頸椎や身体各部に負担を与えることなく自然な状態に保持するとともに肩口回りの保温性の向上を図り、未使用状態で小型に折り畳むことによりスペースの効率化と取り扱いの簡便化を図る枕装置を提供することを目的に提案されたものである。
【課題を解決するための手段】
【０００９】
上述した目的を達成する本考案にかかる枕装置は、枕体と、台座ブロック体と、背当てシート体を組み合わせて構成される。枕装置は、枕体が、布袋内に従来一般に用いられる充填材、例えばそば殻、籾殻、羽毛等の天然素材や、プラスチック粒体或いはフォームラバー等の合成樹脂材等からなる充填材を充填して全体略矩形マット状に形成される。枕装置は、台座ブロック体が、枕体よりも硬く弾力性や通気性を有するウレタンフォームや発泡スチロール等の発泡樹脂材等からなる低反発素材により枕体よりも小さな外形寸法を有する全体略楔状のブロック体に形成される。枕装置は、背当てシート体が、枕体よりも硬くかつ台座ブロック体よりも柔かで弾力性や通気性を有するウレタンフォーム等からなる低反発素材によって、台座ブロック体よりも平面の外形寸法が大形でかつ厚みがやや大きな全体略楔状のシート体に形成される。
【００１０】
枕装置は、枕体が台座ブロック体の傾斜主面上に重ね合わせ状態で組み合わされるとともに台座ブロック体と背当てシート体が台座ブロック体の先端部側の側面部と背当てシート体の甲高部側の側面部を対向させて組み合わされ、この台座ブロック体と背当てシート体が対向部位に沿って重ね合わせ状態と展開状態とに折り畳み自在に組み合わされる。枕装置は、背当てシート体を展開状態とした台座ブロック体の傾斜主面上に枕体が重ね合わせた状態で用いられることにより、枕体から背当てシート体に向かって次第に緩やかに傾斜する受け面を構成する。枕装置は、枕体と台座ブロック体及び背当てシート体がそれぞれの機能に適合した硬さを異にする素材により形成される。
【００１１】
したがって、枕装置においては、使用者が枕体に頭部を載せて寝ることにより、背当てシート体が使用者の肩口部位から背中部位を支持して頸椎を無理の無い状態に保持するとともに肩口からの風の入り込みを抑制して保温性の向上が図られるようにする。枕装置においては、硬さを変えて形成された枕体と背当てシート体が使用者の各部位にフィットすることで安定した状態に保持し、楽な姿勢で寝られるようにして楽な呼吸やのどの渇きを抑制する。枕装置においては、使用者の背筋や腰を伸ばした状態とすることにより痛み等の発生を抑制する。枕装置においては、未使用状態で背当てシート体を台座ブロック体に対して折り畳むことにより平面スペースをほぼ枕体の大きさに小型化される。
【考案の効果】
【００１２】
本考案にかかる枕装置によれば、枕体から台座ブロック体に連設した背当てシート体に向かって次第に緩やかに傾斜する受け面を構成して枕体に頭部を載せた使用者の肩口部位から背中部位を支持することにより、頸椎や身体各部に大きな負担をかけることなく自然な状態に保持するとともに肩口からの風の入り込みを抑制して保温性の向上を図ることで使用者に快適な安眠を提供するとともに身体各部の痛み発生の低減を可能とする。本考案にかかる枕装置によれば、未使用状態で背当てシート体を台座ブロック体に対して折り畳むことにより、平面スペースがほぼ枕体の大きさとなりスペースの効率化と取り扱いの簡便性が図られる。
【考案を実施するための最良の形態】
【００１３】
以下、本考案の実施の形態として図面に示した枕装置１について詳細に説明する。枕装置１は、図１乃至図３に示すように、それぞれ詳細を後述する独立の部材として形成された枕体２と、台座ブロック体３と、背当てシート体４を布製の袋体５内に装填することにより一体化して構成される。枕装置１は、袋体５の内部において、枕体２が台座ブロック体３上に重ね合わせ状態で組み合わされるとともに台座ブロック体３と背当てシート体４が突き合わせ状態で組み合わされる。
【００１４】
枕装置１は、図１に示すように例えば敷き布団６上に載置して用いられて、使用者７の頭部８を枕体２で支持するとともに頸部９を介して背中１０を背当てシート体４により支持する。枕装置１は、詳細を後述する各部の構造により敷き布団６上に載置した状態で枕体２と背当てシート体４とが足先側に向かって次第に緩やかな傾斜が付された受け面を構成して使用者７の頭部８から上半身部分を支持する。枕装置１は、使用者７の頸部９に大きな曲がりが生じないようにするとともに、背当てシート体４が肩口１１を支えて敷き布団６との間の隙間量が低減されるようにする。
【００１５】
枕装置１は、袋体５が、重ね合わせ状態の枕体２と台座ブロック体３を内部に装填する枕装填部１２と背当てシート体４を内部に装填する背当て装填部１３を連結部１４を介して一体に連設する。袋体５は、連結部１４を介して枕装填部１２対して背当て装填部１３が折り畳み自在、換言すればそれぞれの内部に装填した台座ブロック体３に対して背当てシート体４が並べた展開状態と重ね合わせ状態とに折り畳み自在に組み合わされるようにする。袋体５は、図３に示すように枕装填部１２と背当て装填部１３の底部にそれぞれ設けた開口部を開閉するファスナ１５Ａ、１５Ｂを設け、これらファスナ１５Ａ、１５Ｂを開閉操作することにより枕体２と台座ブロック体３と背当てシート体４とをそれぞれ挿脱自在として中身を取り出して洗濯することが可能である。
【００１６】
枕体２は、従来の枕と同様に布袋１６の内部に充填材１７を充填して全体略矩形マット状に形成される。枕体２は、後述するように台座ブロック体３に重ね合わせて用いることから単独で使用する従来の枕よりもやや薄厚に形成したものを用いることが好ましい。枕体２は、現在最も用いられている４３×６３外形の枕とほぼ同等の大きさを基本とするが、適宜の大きさのものを用いることが可能である。枕体２は、使用者７に対して充填材１７がほどよく変形して頭部８を支える硬さと好みの感触を与えるとともに通気性を有するものが好ましい。
【００１７】
枕体２は、従来の枕に用いられている充填材と同様に、そば殻、籾殻、パンヤ、羽毛、羽根、ラテックス等の天然素材や、パイプ形状、ビーズ形状、球形、そらまめ形状に形成されたプラスチック粒体或いはフォームラバー等の合成樹脂材等を単独或いはこれらを混合した充填材１７が用いられる。枕体２は、これら素材を選択するとともに適宜の充填量を以って充填材１７を布袋１６内に充填することにより、高さや硬さ或いは感触が調整される。
【００１８】
台座ブロック体３は、枕体２よりも硬くかつ弾力性や通気性を有する低反発素材、例えば発泡スチロール等の発泡樹脂材やウレタンフォーム等を素材にして形成される。台座ブロック体３は、後述するように使用者７が頭部８を枕体２に載せた状態でも多少の弾性変形を生じるがほとんど形状変化を生じることなく枕体２を支える硬さを有する素材により形成されることが好ましい。台座ブロック体３は、図２及び図３に示すように、外形寸法が枕体２よりも小さな横長矩形の平面形状でありかつ縦幅方向の一方側を甲高として（甲高部３Ｂ）、他方（先端部３Ｃ）側に向かって次第にその高さが小さくなるようにして傾斜主面３Ａを有する全体略楔状のブロック体に形成される。台座ブロック体３は、図２に示すように傾斜主面３Ａ上に枕体２が重ね合わされるが、全体としてその甲高部位側における高さ寸法が２５ｃｍ乃至３０ｃｍ程度となる厚みを以って形成される。
【００１９】
背当てシート体４は、枕体２よりも硬くかつ台座ブロック体３よりも柔らかで弾力性や通気性を有する低反発素材、例えばウレタンフォーム等を素材にして厚みのあるシート体に形成される。背当てシート体４も、図３に示すように、外形寸法が台座ブロック体３よりも大きな横長矩形の平面形状であり、縦幅方向の一方側を甲高として（甲高部４Ｂ）、他方（先端部４Ｃ）側に向かって次第にその高さが小さくなるようにして傾斜主面４Ａを有する全体略楔状のブロック体に形成される。背当てシート体４は、傾斜主面４Ａが台座ブロック体３の傾斜主面３Ａよりもやや緩やかな傾斜角度を以って形成される。
【００２０】
背当てシート体４は、その甲高部４Ｂ側における高さ寸法が台座ブロック体３の甲高部甲高部３Ｂとほぼ同程度に形成される。背当てシート体４は、図１に示すように使用者７が頭部８を枕体２に載せて寝た状態で上半身部位を支えるに足る例えば３０ｃｍ程度の縦幅寸法を有するとともに、肩幅よりもやや大きな横幅を有して形成される。背当てシート体４は、やや弾性変形することによりほどよい硬さで使用者７の上半身部位を支える。
【００２１】
枕装置１においては、上述したようにファスナ１５Ａを開いて袋体５の枕装填部１２内に、枕体２と台座ブロック体３をこの順序で装填する。枕装置１においては、図２に示すように台座ブロック体３が先端部３Ｃ側を連結部１４側に位置させて装填されるとともにその傾斜主面３Ａ上に枕体２が重ね合わせた状態で装填される。枕装置１においては、同様にしてファスナ１５Ｂを開いて袋体５の背当て装填部１３内に、背当てシート体４がその甲高部４Ｂを連結部１４側に位置させて装填される。
【００２２】
枕装置１においては、上述したように台座ブロック体３と背当てシート体４が、それぞれの先端部３Ｃと甲高部４Ｂの側面を連結部１４を介して対向される。枕装置１においては、枕装填部１２内に重ね合わせ状態で装填された枕体２及び台座ブロック体３の積層体と背当て装填部１３内に装填された背当てシート体４が袋体５により一体化される。枕装置１においては、図２鎖線で示すように袋体５の連結部１４を介して、枕体２と台座ブロック体３の積層体に対して背当てシート体４がその底面部を台座ブロック体３の底面部に重ねるようにして折り畳まれる。すなわち、枕装置１においては、袋体５により一体化された枕体２と台座ブロック体３の積層体と台座ブロック体３が、連結部１４を介して展開状態と重ね合わせ状態とに折り畳み自在に組み合わされる。
【００２３】
枕装置１においては、図１に示すように展開状態で敷き布団６上に載置されることにより、使用者７の頭部８を支える枕体２から背中１０を支える背当てシート体４に向かって次第に緩やかに傾斜する受け面を構成する。枕装置１においては、図４に示すように適宜の硬さを有する枕体２が載せられた使用者７の頭部８に倣って充填材１７が布袋１６内で移動して変形するとともに、この枕体２を硬い台座ブロック体３が保持する。枕装置１においては、大きな外形を有する枕体２が同図に示すように台座ブロック体３の外周縁部を覆うように変形する。したがって、枕装置１においては、使用者７が寝返り等した場合でも枕体２が頭部８や肩口１１と台座ブロック体３とが直接当たらないように介在して寝心地が保持されるようにする。
【００２４】
枕装置１においては、台座ブロック体３と背当てシート体４が対向された高さを異にする先端部３Ｃと甲高部４Ｂとの間において段差を構成するが、図４（Ａ）に示すように枕体２の先端部が使用者７の頸部９を支えながら段差を均すようにして変形する。枕装置１においては、枕体２と台座ブロック体３及び背当てシート体４がそれぞれの機能に適合した硬さを異にする素材により形成されるとともに緩やかに傾斜する受け面を構成することにより、枕体２と背当てシート体４が使用者７の頭部８から頸部９と肩口１１を介して背中１０までの全域に亘ってフィットして保持する。
【００２５】
枕装置１においては、適宜の硬さと高さを有する枕体２が、載せられた使用者７の頭部８に倣って変形することにより載置部位を柔らかく包み込む感触を以って保持する。枕装置１においては、枕体２よりも硬くかつ弾力性や通気性を有する低反発素材により形成された台座ブロック体３が枕体２を支えることで、いわゆる「フワフワ感」を抑制して使用者７の頭部８を安定した状態に保持する。枕装置１においては、枕体２よりも硬くかつ台座ブロック体３よりも柔らかな背当てシート体４が、使用者７の上半身、すなわち背中１０や肩口１１に倣ってやや弾性変形するとともに適宜の反発力を作用させて安定した状態に保持する。
【００２６】
枕装置１においては、枕体２から背当てシート体４に向かう緩やかな傾斜と枕体２の変形とにより使用者７の頸部９に大きな曲げを生じさせることなく無理の無い状態に保持する。枕装置１においては、使用者７に対して、楽な呼吸が行われるようにするとともにのどの渇きを抑制する等して快適に安眠できるようにする。また、枕装置１においては、使用者７の背筋や腰を伸ばした状態とすることにより、肩こりや首或いは腰等の痛みの発生を抑制する。さらに、枕装置１においては、枕体２と背当てシート体４により使用者７の肩口１１を塞ぐことにより、肩口１１からの風の入り込みを抑制して保温性の向上が図られるようにする。
【００２７】
枕装置１においては、未使用状態で背当てシート体４が袋体５の連結部１４を介して台座ブロック体３に対して折り畳まれることにより平面スペースをほぼ枕体２の大きさに小型化される。枕装置１においては、押入等に収納する場合に、スペースの効率化と取り扱いの簡便性が図られる。
【００２８】
枕装置１においては、上述したように袋体５の枕装填部１２内に枕体２と台座ブロック体３の積層体を装填するとともに背当て装填部１３内に背当てシート体４を装填して一体化したが、本考案はかかる構成に限定されるものでは無い。枕装置１においては、台座ブロック体３が枕体２よりも小形であることから、敏感な使用者７に対して問題を生じさせることがある。すなわち、枕装置１は、例えば袋体５の枕装填部１２内において一方側へと移動して図４（Ｂ）に示した外周縁が枕体２で覆われた状態とならずに使用者７の頭部８に直接当たってしまう虞がある。また、枕装置１は、枕体２と台座ブロック体３が相対的に動いて不安定さを感じさせることにより、使用者７に寝苦しさ感を生じさせることもある。
【００２９】
第２の実施の形態として図５に示した枕装置２０は、基本的な構成を上述した枕装置１と同様とすることで相対する部位に同一符号を付して説明を省略するが、袋体５内において枕体２と台座ブロック体３が着脱自在な取り付け手段を介して組み合わされるようにした構成に特徴がある。枕装置２０は、相対する枕体２の底面と台座ブロック体３の傾斜主面３Ａに着脱自在な取り付け手段として、例えば着脱自在な面ファスナ２１、２２を取り付けて構成する。面ファスナ２１、２２は、例えば多数のフック状繊維を形成したシート体とパイル状或いはループ状繊維を形成したシート体により構成され、各シート体を押し付けることによりフック状繊維とパイル状繊維が絡み合って接合が行われるとともに、各シート体を引き剥がすことにより分離することを可能とする。
【００３０】
枕装置２０は、枕体２側にやや幅広の面ファスナ２１を取り付けるとともに台座ブロック体３側に幅狭の複数の面ファスナ２２Ａ、２２Ｂを取り付ける。枕装置２０は、袋体５の枕装填部１２内に装填された枕体２と台座ブロック体３が面ファスナ２１と面ファスナ２２Ａ、２２Ｂとが接合して一体化され、上述した枕装置１の問題を解決する。なお、枕装置２０は、上述した枕装置１と同様に袋体５内に枕体２と台座ブロック体３及び背当てシート体４を装填して全体を一体化するようにしたが、面ファスナ構造等の着脱自在構造を採用することにより例えば以下のように展開することも可能である。
【００３１】
すなわち、枕装置は、図示を省略するが袋体５が連結部１４を介して台座ブロック体３を装填するに足る台座ブロック体装填部と背当てシート体４を装填する背当て装填部１３とを連設するとともに、台座ブロック体装填部に対応する外周部に面ファスナ２２Ａ、２２Ｂを取り付ける。枕装置は、袋体５に台座ブロック体３と背当てシート体４を装填した状態で底面に面ファスナ２１を取り付けた枕体２を組み合わせることにより、この枕体２が台座ブロック体３を装填した袋体５と一体化される。したがって、枕装置２０においては、袋体５に対して枕体２を着脱することが可能であり、枕カバーの洗濯や天日干し等を手軽に行うことが可能となる。枕装置２０においては、使用者７の好みの素材や高さの枕体２を適宜選択することが可能である。
【００３２】
第３の実施の形態として図６及び図７に示した枕装置３０は、基本的な構成を上述した枕装置２０と同様とすることで相対する部位に同一符号を付して説明を省略するが、使用者７が枕体２を好みの高さに調整自在とする構成に特徴を有している。枕装置３０は、図６に示すように枕体２と台座ブロック体３との間に高さ調整プレート体３１を介挿することにより枕体２の高さが調整される。高さ調整プレート体３１も、枕体２よりも硬くかつ弾力性や通気性を有する低反発素材、例えば台座ブロック体３と同等のウレタンフォームや発泡スチロール等を素材としかつ外形寸法が台座ブロック体３よりも小さく厚みも薄い横長矩形の平面形状でありかつ全体略楔状のプレート体に形成される。
【００３３】
枕装置３０は、図６に示すように枕体２の底面と台座ブロック体３の傾斜主面３Ａにそれぞれ面ファスナ３２、３３が取り付けられるとともに、これら枕体２と台座ブロック体３と対向する高さ調整プレート体３１の上下主面にも面ファスナ３４、３５が取り付けられる。枕装置３０は、例えば枕体２と台座ブロック体３側にフック状繊維を形成した面ファスナ３２、３３を用いるとともに、高さ調整プレート体３１側にパイル状繊維を形成した面ファスナ３４、３５が用いられる。
【００３４】
枕装置３０においては、図７に示すように枕体２と台座ブロック体３との間に高さ調整プレート体３１を介挿してこれら各部材を押し付けることにより、相対する面ファスナ３２と面ファスナ３４とが接合して枕体２と高さ調整プレート体３１が一体化されるとともに相対する面ファスナ３３と面ファスナ３５とが接合して台座ブロック体３と高さ調整プレート体３１が一体化される。枕装置３０においては、高さ調整プレート体３１を介挿することにより、枕装置２０と比較して枕体２が大きな高さに設定される。なお、枕装置３０においては、図６鎖線で示す厚み寸法が大きな高さ調整プレート体３１Ｈを用いることにより、枕体２をさらに大きな高さに設定することが可能である。
【００３５】
枕装置３０においては、上述したように高さ調整プレート体３１が台座ブロック体３よりも小さい外形寸法に形成されることで、傾斜主面３Ａにおける接合位置が調整可能とされる。また、枕装置３０においては、高さ調整プレート体３１が枕体２よりも小さい外形寸法に形成されることで、底面部における接合位置が調整可能とされる。枕装置３０においては、図７（Ａ）に示すように高さ調整プレート体３１を台座ブロック体３の傾斜主面３Ａに対して先端部３Ｃ側の第１位置において接合することにより、枕体２の高さをＨＨに設定する。枕装置３０においては、同図（Ｂ）に示すように甲高部３Ｃ側の第２位置において接合することにより、枕体２の高さをＨＬに設定する。
【００３６】
枕装置３０においては、上述したように台座ブロック体３と高さ調整プレート体３１が楔形に形成されており、高さ調整プレート体３１が第２位置から台座ブロック体３の傾斜主面３Ａに沿って第１位置へと移動して接合されると全体として枕体２を押し上げる状態となる。したがって、枕装置３０においては、高さ調整プレート体３１を台座ブロック体３に対して第１位置で接合することにより、枕体２を第２位置における高さＨＬよりも高い高さＨＨに設定することが可能である。
【００３７】
枕装置３０においては、上述した台座ブロック体３と高さ調整プレート体３１の接合位置による枕体２の高さ調整ばかりでなく、枕体２が高さ調整プレート体３１に対する接合位置を調整することにより同様にして高さ調整を行うことが可能となる。また、枕装置３０においては、枕体２と台座ブロック体３及び高さ調整プレート体３１の接合位置を適宜設定することにより、枕体２の高さ調整を多段に行うことが可能である。
【図面の簡単な説明】
【００３８】
【図１】本考案の実施の形態として示す枕装置の使用状態の説明図である。
【図２】枕装置の展開状態の断面図である。
【図３】枕装置の分解斜視図である。
【図４】使用状態の要部断面図である。
【図５】第２の実施の形態として示す枕装置の分解斜視図である。
【図６】第３の実施の形態として示す高さ調整構造を備えた枕装置の分解斜視図である。
【図７】同枕装置の高さ調整操作の説明図である。
【符号の説明】
【００３９】
１  枕装置、２  枕体、３  台座ブロック体、４  背当てシート体、５  袋体、６  敷き布団、７  使用者、８  頭部、９  頸部、１０  背中、１１  肩口、１２  枕装填部、１３  背当て装填部、１４  連結部、１５  ファスナ、１６  布袋、１７  充填材、２０  枕装置、２１，２２  面ファスナ、３０  枕装置、３１  高さ調整プレート体、３２〜３５  面ファスナ
【図１】
0003128886.tif 000003
【図２】
0003128886.tif 000004
【図３】
0003128886.tif 000005
【図４】
0003128886.tif 000006
【図５】
0003128886.tif 000007
【図６】
0003128886.tif 000008
【図７】
0003128886.tif 000009